(57)【要約】【課題】安価な費用で大容量の映像を記録することができるテレビドアホン装置を提供すること。【解決手段】撮像して映像信号を生成する少なくとも１つのドアホン子機１１００と、ドアホン子機１１００に接続され映像信号を外部に設置された記録装置１００に出力するドアホン親機１２００と、映像信号に基づいた記録装置１００による記録を開始させる赤外リモコン信号および記録を停止させる赤外リモコン信号を記録装置１００に送信する赤外リモコン送信機１３００とを備え、ドアホン親機１２００が、赤外リモコン送信機１３００による赤外リモコン信号の送信のタイミングを制御する制御手段１２３０を有している。【選択図】  図１
2004274204.tif 000002
【特許請求の範囲】
【請求項１】
撮像して映像信号を生成する少なくとも１つのドアホン子機と、前記ドアホン子機に接続され前記映像信号を外部に設置された記録装置に出力するドアホン親機と、前記映像信号に基づいた前記記録装置による記録を開始させる赤外リモコン信号および前記記録を停止させる赤外リモコン信号を前記記録装置に送信する赤外リモコン送信機とを備え、前記ドアホン親機が、前記赤外リモコン送信機による赤外リモコン信号の送信のタイミングを制御する制御手段を有したことを特徴とするテレビドアホン装置。
【請求項２】
前記赤外リモコン送信機が、前記記録を開始させる赤外リモコン信号を表す情報および前記記録を停止させる赤外リモコン信号を表す情報を学習して記憶する赤外リモコン学習記憶手段を備え、前記制御手段が、前記赤外リモコン学習記憶手段に記憶された情報に基づいた赤外リモコン信号を送信するよう前記赤外リモコン送信機を制御することを特徴とする請求項１に記載のテレビドアホン装置。
【請求項３】
前記ドアホン親機が、前記記録を開始させる赤外リモコン信号を表す情報および前記記録を停止させる赤外リモコン信号を表す情報を学習して記憶する赤外リモコン学習記憶手段を備え、前記制御手段が、前記赤外リモコン学習記憶手段に記憶された情報に基づいた赤外リモコン信号を送信するよう前記赤外リモコン送信機を制御することを特徴とする請求項１に記載のテレビドアホン装置。
【発明の詳細な説明】
【０００１】
【発明の属する技術分野】
本発明は、テレビドアホン装置に関し、詳しくは子機で撮像された画像を外部に設置された記録装置に記録するテレビドアホン装置に関するものである。
【０００２】
【従来の技術】
従来、映像を記録可能なテレビドアホン装置として、ドアホン子機によって撮像され生成された映像信号がドアホン親機に内蔵された映像信号記録手段によって記録されるものが知られており、この構成では、映像信号記録手段の記録容量は小容量である（例えば特許文献１参照）。
【０００３】
また、記録容量の少なさを改善するテレビドアホン装置９０００としては、図４に示すように、ドアホン子機９１００と、ドアホン子機９１００に接続されたドアホン親機９２００と、タイムラプスビデオ装置９３００とを備えたものが知られている。このように構成されたテレビドアホン装置９０００において、ドアホン子機９１００の撮像手段９１１０によって撮像され生成された映像信号が映像信号送出手段９１２０によってドアホン親機９２００に送出される。また、訪問者によって呼出ボタン９１３０が押下されたことが呼出信号送出手段９１３５によって検出され、呼出信号がドアホン親機９２００に送出される。ドアホン親機９２００の映像信号出力手段９２１０によって映像信号がタイムラプスビデオ装置９３００に出力され、接点信号出力手段９２２０によって呼出信号に応じて接点信号がタイムラプスビデオ装置９３００に出力される。タイムラプスビデオ装置９３００においては、入力された映像信号の記録が接点信号の入力に応じて行われるようになっている。
【０００４】
【特許文献１】
特開平６−６２４１１号公報
【０００５】
【発明が解決しようとする課題】
しかしながら、上述した従来のテレビドアホン装置では、必要な映像のみを記録するためには、記録装置に接点信号を入力し、接点信号に応じて映像記録を開始させるため、タイムラプスビデオ装置のような一般の家庭用映像記録装置に比べて高価な記録装置を備えなければならなかった。すなわち、安価な費用で大容量の映像を記録することができないという問題があった。
【０００６】
本発明はこのような問題を解決するためになされたもので、安価な費用で大容量の映像を記録することができるテレビドアホン装置を提供するものである。
【０００７】
【課題を解決するための手段】
本発明のテレビドアホン装置は、撮像して映像信号を生成する少なくとも１つのドアホン子機と、前記ドアホン子機に接続され前記映像信号を外部に設置された記録装置に出力するドアホン親機と、前記映像信号に基づいた前記記録装置による記録を開始させる赤外リモコン信号および前記記録を停止させる赤外リモコン信号を前記記録装置に送信する赤外リモコン送信機とを備え、前記ドアホン親機が、前記赤外リモコン送信機による赤外リモコン信号の送信のタイミングを制御する制御手段を有した構成を有している。
【０００８】
この構成により、ドアホン子機によって撮像され生成された映像信号がドアホン親機を介して外部に設置された家庭用の記録装置に出力され、赤外リモコン送信機によって外部に設置された記録装置による記録を開始させる赤外リモコン信号および記録を停止させる赤外リモコン信号が送出される。このため、テレビドアホン装置において撮像された映像信号を家庭用の記録装置で記録することができ、安価な費用で大容量の映像を記録することができる。さらに、ドアホン親機と赤外リモコン送信機がそれぞれ分離して構成されているため、家庭用の記録装置の近傍に赤外リモコン送信機を設置して、赤外リモコン送信機から家庭用の記録装置へ赤外リモコン信号を確実に到達させることができる。
【０００９】
また、本発明のテレビドアホン装置は、前記赤外リモコン送信機が、前記記録を開始させる赤外リモコン信号を表す情報および前記記録を停止させる赤外リモコン信号を表す情報を学習して記憶する赤外リモコン学習記憶手段を備え、前記制御手段が、前記赤外リモコン学習記憶手段に記憶された情報に基づいた赤外リモコン信号を送信するよう前記赤外リモコン送信機を制御する構成を有している。
【００１０】
この構成により、赤外リモコン送信機において記録を開始させる赤外リモコン信号を表す情報および記録を停止させる赤外リモコン信号を表す情報を記録装置の機種に応じて学習して記憶し、記憶された情報に基づいた赤外リモコン信号を送信することができる。このため、記録装置のメーカーまたは機種を幅広く選定することができ、防犯効果に加え、システム設計の簡単な汎用性の高いテレビドアホン装置を提供することができる。
【００１１】
また、本発明のテレビドアホン装置は、前記ドアホン親機が、前記記録を開始させる赤外リモコン信号を表す情報および前記記録を停止させる赤外リモコン信号を表す情報を学習して記憶する赤外リモコン学習記憶手段を備え、前記制御手段が、前記赤外リモコン学習記憶手段に記憶された情報に基づいた赤外リモコン信号を送信するよう前記赤外リモコン送信機を制御する構成を有している。
【００１２】
この構成により、ドアホン親機において記録を開始させる赤外リモコン信号を表す情報および記録を停止させる赤外リモコン信号を表す情報を記録装置の機種に応じて学習して記憶し、記憶された情報に基づいた赤外リモコン信号を送信することができる。このため、記録装置のメーカーまたは機種を幅広く選定することができ、防犯効果に加え、システム設計の簡単な汎用性の高いテレビドアホン装置を提供することができる。また、赤外リモコン信号を表す情報を学習して記憶する手段をドアホン親機側に設けているため、赤外リモコン送信機の構成を簡素化することができる。
【００１３】
【発明の実施の形態】
以下、本発明の実施の形態について、図面を参照して説明する。
（第１の実施の形態）
図１に示すように、本発明の第１の実施の形態のテレビドアホン装置１０００は、玄関などの所定の場所に設置され撮像して映像信号を生成するドアホン子機１１００と、ドアホン子機１１００に接続され映像信号を外部に設置された記録装置１００に出力するドアホン親機１２００と、映像信号に基づいた記録装置１００による記録を開始させる赤外リモコン信号および記録を停止させる赤外リモコン信号を記録装置１００に送信する赤外リモコン送信機１３００とを備えている。なお、本発明の第１の実施の形態において、テレビドアホン装置１０００は、１つのドアホン子機１１００によって構成されるが、複数のドアホン子機１１００によって構成されてもよい。
【００１４】
なお、ドアホン子機１１００およびドアホン親機１２００は、１つの伝送路で通信可能に接続されている。また、ドアホン子機１１００は、ドアホン親機１２００との間で通話を行う子機通話手段を当然に有しているものとする。また、ドアホン親機１２００は、ドアホン子機１１００との間で通話を行う親機通話手段を当然に有しているものとする。また、ドアホン親機１２００は、映像信号に基づいた画像を表示するモニタを当然に有しているものとする。
【００１５】
ドアホン子機１１００は、撮像して映像信号を生成する撮像手段１１１０と、映像信号をドアホン親機１２００に送出する映像信号送出手段１１１５と、集音して音声信号を生成する音声信号生成手段１１２０と、音声信号をドアホン親機１２００に送出する音声信号送出手段１１２５と、訪問者に押下させる呼出ボタン１１３０と、呼出ボタン１１３０が押下されたことを検出して呼出信号をドアホン親機１２００に送出する呼出信号送出手段１１３５とを有している。
【００１６】
撮像手段１１１０は、前述したように撮像して映像信号を生成し、生成された映像信号を映像信号送出手段１１１５に出力するようになっている。
映像信号送出手段１１１５には、撮像手段１１１０によって出力された映像信号が入力されるようになっており、映像信号送出手段１１１５は、前述したように入力された映像信号をドアホン親機１２００に送出するようになっている。
【００１７】
音声信号生成手段１１２０は、前述したように集音して音声信号を生成し、生成された音声信号を音声信号送出手段１１２５に出力するようになっている。
音声信号送出手段１１２５には、音声信号生成手段１１２０によって出力された音声信号が入力されるようになっており、音声信号送出手段１１２５は、前述したように入力された音声信号をドアホン親機１２００に送出するようになっている。
【００１８】
呼出信号送出手段１１３５は、前述したように呼出ボタン１１３０が押下されたことを検出し、呼出ボタン１１３０が押下されたことの検出に応じて呼出信号を生成し、生成された呼出信号をドアホン親機１２００に送出するようになっている。
【００１９】
ドアホン親機１２００は、ドアホン子機１１００によって送出された映像信号を受信する映像信号受信手段１２１０と、映像信号受信手段１２１０によって受信された映像信号を外部に設置された記録装置１００に出力する映像信号出力手段１２１５と、ドアホン子機１１００によって送出された音声信号を受信する音声信号受信手段１２２０と、音声信号受信手段１２２０によって受信された音声信号を外部に設置された記録装置１００に出力する音声信号出力手段１２２５とを有している。
【００２０】
映像信号受信手段１２１０は、前述したようにドアホン子機１１００によって送出された映像信号を受信し、受信された映像信号を映像信号出力手段１２１５に出力するようになっている。
映像信号出力手段１２１５には、映像信号受信手段１２１０によって出力された映像信号が入力されるようになっており、映像信号出力手段１２１５は、前述したように入力された映像信号を外部に設置された記録装置１００に出力するようになっている。
【００２１】
音声信号受信手段１２２０は、前述したようにドアホン子機１１００によって送出された音声信号を受信し、受信した音声信号を音声信号出力手段１２２５に出力するようになっている。
音声信号出力手段１２２５には、音声信号受信手段１２２０によって出力された音声信号が入力されるようになっており、音声信号出力手段１２２５は、前述したように入力された音声信号を外部に設置された記録装置１００に出力するようになっている。
【００２２】
さらに、ドアホン親機１２００は、赤外リモコン送信機１３００による赤外リモコン信号の送信のタイミングを制御する制御手段１２３０とを有している。ここで、記録装置１００による記録とは、映像信号出力手段１２１５によって出力された映像信号および音声信号出力手段１２２５によって出力された音声信号に基づいた記録をいう。なお、以下の説明において、記録装置１００による記録を開始させる赤外リモコン信号を開始信号と呼び、記録装置１００による記録を停止させる赤外リモコン信号を停止信号と呼ぶ。
【００２３】
制御手段１２３０は、ドアホン子機１１００によって送出された呼出信号を受信し、呼出信号が受信されたときに、開始信号を送信するよう赤外リモコン送信機１３００を制御するようになっている。
【００２４】
また、制御手段１２３０は、赤外リモコン送信機１３００に開始信号を送信させてから経過した時間を計測するタイマを有しており、制御手段１２３０は、赤外リモコン送信機１３００に開始信号を送信させてから予め設定された時間が経過したときに、停止信号を送信するよう赤外リモコン送信機１３００を制御するようになっている。
【００２５】
赤外リモコン送信機１３００は、例えば、赤外光発光ダイオードを備え、開始信号および停止信号を記録装置１００に送信するようになっている。
【００２６】
なお、記録装置１００は、映像信号を録画再生可能な装置、または映像信号および音声信号の両方の信号を録画再生可能な装置であればよく、例えば、家庭用のＶＴＲ（Ｖｉｄｅｏ  Ｔａｐｅ  Ｒｅｃｏｒｄｅｒ）装置、光ディスク録画再生装置（いわゆるＤＶＤ、Ｄｉｇｉｔａｌ  Ｖｅｒｓａｔｉｌｅ  Ｄｉｓｋ）または磁気ディスク録画再生装置などでもよい。
【００２７】
次に、本発明の第１の実施の形態のテレビドアホン装置１０００に係る動作について説明する。
まず、呼出ボタン１１３０が押下されたことが呼出信号送出手段１１３５によって検出され、呼出信号が呼出信号送出手段１１３５によってドアホン親機１２００に送出される。ここで、制御手段１２３０によって呼出信号が受信され、制御手段１２３０によって赤外リモコン送信機１３００が開始信号を送出するよう制御される。そして、赤外リモコン送信機１３００によって開始信号が記録装置１００に送信され、記録装置１００による記録が開始される。
【００２８】
このとき、撮像手段１１１０によって撮像されて映像信号が生成され、生成された映像信号が映像信号送出手段１１１５によってドアホン親機１２００に送出される。また、音声信号生成手段１１２０によって集音されて音声信号が生成され、生成された音声信号が音声信号送出手段１１２５によってドアホン親機１２００に送出される。
【００２９】
さらに、ドアホン子機１１００によって送出された映像信号および音声信号が映像信号受信手段１２１０および音声信号受信手段１２２０によってそれぞれ受信され、受信された映像信号および音声信号が映像信号出力手段１２１５および音声信号出力手段１２２５によってそれぞれ記録装置１００に出力される。
【００３０】
その後、記録装置１００による映像信号および音声信号の記録が継続され、赤外リモコン送信機１３００によって開始信号が記録装置１００に送信されてから予め設定された時間が経過したときに、制御手段１２３０によって赤外リモコン送信機１３００が停止信号を送出するよう制御される。そして、赤外リモコン送信機１３００によって停止信号が記録装置１００に送信され、記録装置１００による記録が停止される。
【００３１】
以上説明したように、本発明の第１の実施の形態のテレビドアホン装置は、ドアホン子機によって撮像され生成された映像信号がドアホン親機を介して外部に設置された家庭用の記録装置に出力され、赤外リモコン送信機によって外部に設置された記録装置による記録を開始させる赤外リモコン信号および記録を停止させる赤外リモコン信号が送出される。また、一般家庭に普及されているＶＴＲ装置またはＤＶＤ装置などの家庭用の記録装置は、殆どが赤外リモコン機能を備えており、赤外リモコン信号による記録開始および記録停止の制御を行え、さらに、タイムラプスビデオ装置と比較しても非常に安価である。このため、テレビドアホン装置において撮像された映像信号を家庭用の記録装置で記録することができ、安価な費用で大容量の映像を記録することができる。さらに、ドアホン親機と赤外リモコン送信機がそれぞれ分離して構成されているため、家庭用の記録装置の近傍に赤外リモコン送信機を設置して、赤外リモコン送信機から家庭用の記録装置へ赤外リモコン信号を確実に到達させることができる。
【００３２】
（第２の実施の形態）
図２に示すように、本発明の第２の実施の形態のテレビドアホン装置２０００は、玄関などの所定の場所に設置され撮像して映像信号を生成するドアホン子機１１００と、ドアホン子機１１００に接続され映像信号を外部に設置された記録装置１００に出力するドアホン親機２２００と、映像信号に基づいた記録装置１００による記録を開始させる赤外リモコン信号および記録を停止させる赤外リモコン信号を記録装置１００に送信する赤外リモコン送信機２３００とを備えている。なお、本発明の第２の実施の形態において、テレビドアホン装置２０００は、１つのドアホン子機１１００によって構成されるが、複数のドアホン子機１１００によって構成されてもよい。
【００３３】
なお、ドアホン子機１１００およびドアホン親機２２００は、１つの伝送路で通信可能に接続されている。また、ドアホン子機１１００は、ドアホン親機２２００との間で通話を行う子機通話手段を当然に有しているものとする。また、ドアホン親機２２００は、ドアホン子機１１００との間で通話を行う親機通話手段を当然に有しているものとする。また、ドアホン親機２２００は、映像信号に基づいた画像を表示するモニタを当然に有しているものとする。
【００３４】
ドアホン子機１１００は、撮像して映像信号を生成する撮像手段１１１０と、映像信号をドアホン親機２２００に送出する映像信号送出手段１１１５と、集音して音声信号を生成する音声信号生成手段１１２０と、音声信号をドアホン親機２２００に送出する音声信号送出手段１１２５と、訪問者に押下させる呼出ボタン１１３０と、呼出ボタン１１３０が押下されたことを検出して呼出信号をドアホン親機２２００に送出する呼出信号送出手段１１３５とを有している。
【００３５】
ドアホン親機２２００は、ドアホン子機１１００によって送出された映像信号を受信する映像信号受信手段１２１０と、映像信号受信手段１２１０によって受信された映像信号を外部に設置された記録装置１００に出力する映像信号出力手段１２１５と、ドアホン子機１１００によって送出された音声信号を受信する音声信号受信手段１２２０と、音声信号受信手段１２２０によって受信された音声信号を外部に設置された記録装置１００に出力する音声信号出力手段１２２５とを有している。
【００３６】
さらに、ドアホン親機２２００は、赤外リモコン送信機２３００による赤外リモコン信号の送信のタイミングを制御する制御手段２２３０とを有している。ここで、記録装置１００による記録とは、映像信号出力手段１２１５によって出力された映像信号および音声信号出力手段１２２５によって出力された音声信号に基づいた記録をいう。なお、以下の説明において、記録装置１００による記録を開始させる赤外リモコン信号を開始信号と呼び、記録装置１００による記録を停止させる赤外リモコン信号を停止信号と呼ぶ。
【００３７】
赤外リモコン送信機２３００は、開始信号および停止信号を記録装置１００に送信する赤外リモコン送信手段２３１０と、開始信号を表す情報および停止信号を表す情報を学習して記憶する赤外リモコン学習記憶手段２３２０とを有している。
【００３８】
ここで、記録装置１００は、映像信号を録画再生可能な装置、または映像信号および音声信号の両方の信号を録画再生可能な装置であればよく、例えば、家庭用のＶＴＲ装置、光ディスク録画再生装置または磁気ディスク録画再生装置などでもよい。
【００３９】
なお、本発明の第２の実施の形態に係るテレビドアホン装置２０００においては、本発明の第１の実施の形態に係るテレビドアホン装置１０００の構成要素と同一の構成要素に本発明の第１の実施の形態に係るテレビドアホン装置１０００の構成要素と同一の符号を付して、その説明を省略する。
【００４０】
制御手段２２３０は、ドアホン子機１１００によって送出された呼出信号を受信し、呼出信号が受信されたときに、開始信号を送信するよう赤外リモコン送信手段２３１０を制御するようになっている。
【００４１】
また、制御手段２２３０は、赤外リモコン送信手段２３１０に開始信号を送信させてから経過した時間を計測するタイマを有しており、制御手段２２３０は、赤外リモコン送信手段２３１０に開始信号を送信させてから予め設定された時間が経過したときに、停止信号を送信するよう赤外リモコン送信手段２３１０を制御するようになっている。
【００４２】
さらに、制御手段２２３０は、開始信号を送信するよう赤外リモコン送信手段２３１０を制御する際に、赤外リモコン学習記憶手段２３２０に記憶された記録を開始させる赤外リモコン信号を表す情報、すなわち、開始信号情報に基づいた赤外リモコン信号を送信するよう赤外リモコン送信手段２３１０を制御するようになっている。また、制御手段２２３０は、停止信号を送信するよう赤外リモコン送信手段２３１０を制御する際に、赤外リモコン学習記憶手段２３２０に記憶された記録を停止させる赤外リモコン信号を表す情報、すなわち、停止信号情報に基づいた赤外リモコン信号を送信するよう赤外リモコン送信手段２３１０を制御するようになっている。なお、赤外リモコン信号を表す情報とは、例えば、赤外リモコン信号の波形を表す情報である。
【００４３】
赤外リモコン送信手段２３１０は、例えば、赤外光発光ダイオードを備え、開始信号および停止信号を記録装置１００に送信するようになっている。
【００４４】
赤外リモコン学習記憶手段２３２０は、記録装置１００に付属された遠隔操作装置によって送信される赤外リモコン信号を受信する図示しない赤外リモコン信号受信部を有している。赤外リモコン学習記憶手段２３２０は、遠隔操作装置によって送信される開始信号を赤外リモコン信号受信部を介して受信し、受信した開始信号に基づいて開始信号情報を生成し、生成された開始信号情報を記憶するようになっている。また、赤外リモコン学習記憶手段２３２０は、遠隔操作装置によって送信される停止信号を赤外リモコン信号受信部を介して受信し、受信した停止信号に基づいて停止信号情報を生成し、生成された停止信号情報を記憶するようになっている。
【００４５】
次に、本発明の第２の実施の形態のテレビドアホン装置２０００に係る赤外リモコン学習記憶手段２３２０に開始信号情報および停止信号情報が記憶される動作について説明する。
開始信号情報を赤外リモコン学習記憶手段２３２０に記憶させる際に、まず、ユーザに記録装置１００に付属された遠隔操作装置から開始信号を送信させる。このとき、赤外リモコン学習記憶手段２３２０の赤外リモコン信号受信部によって遠隔操作装置から送信された開始信号が受信され、赤外リモコン学習記憶手段２３２０によって開始信号情報が生成される。そして、生成された開始信号情報が赤外リモコン学習記憶手段２３２０に記憶される。
【００４６】
一方、停止信号情報を赤外リモコン学習記憶手段２３２０に記憶させる際には、まず、ユーザに記録装置１００に付属された遠隔操作装置から停止信号を送信させる。このとき、赤外リモコン学習記憶手段２３２０の赤外リモコン信号受信部によって遠隔操作装置から送信された停止信号が受信され、赤外リモコン学習記憶手段２３２０によって停止信号情報が生成される。そして、生成された停止信号情報が赤外リモコン学習記憶手段２３２０に記憶される。
【００４７】
次に、本発明の第２の実施の形態のテレビドアホン装置２０００に係る動作について説明する。
まず、呼出ボタン１１３０が押下されたことが呼出信号送出手段１１３５によって検出され、呼出信号が呼出信号送出手段１１３５によってドアホン親機２２００に送出される。ここで、制御手段２２３０によって呼出信号が受信され、制御手段２２３０によって赤外リモコン送信手段２３１０が赤外リモコン学習記憶手段２３２０に記憶された開始信号情報に基づいた赤外リモコン信号を送信するよう制御される。そして、赤外リモコン送信手段２３１０によって開始信号が記録装置１００に送信され、記録装置１００による記録が開始される。
【００４８】
このとき、撮像手段１１１０によって撮像されて映像信号が生成され、生成された映像信号が映像信号送出手段１１１５によってドアホン親機２２００に送出される。また、音声信号生成手段１１２０によって集音されて音声信号が生成され、生成された音声信号が音声信号送出手段１１２５によってドアホン親機２２００に送出される。
【００４９】
さらに、ドアホン子機１１００によって送出された映像信号および音声信号が映像信号受信手段１２１０および音声信号受信手段１２２０によってそれぞれ受信され、受信された映像信号および音声信号が映像信号出力手段１２１５および音声信号出力手段１２２５によってそれぞれ記録装置１００に出力される。
【００５０】
その後、記録装置１００による映像信号および音声信号の記録が継続され、赤外リモコン送信手段２３１０によって開始信号が記録装置１００に送信されてから予め設定された時間が経過したときに、制御手段２２３０によって赤外リモコン送信機２３００が赤外リモコン学習記憶手段２３２０に記憶された停止信号情報に基づいた赤外リモコン信号を送信するよう制御される。そして、赤外リモコン送信機２３００によって停止信号が記録装置１００に送信され、記録装置１００による記録が停止される。
【００５１】
以上説明したように、本発明の第２の実施の形態のテレビドアホン装置は、赤外リモコン送信機において記録を開始させる赤外リモコン信号を表す情報および記録を停止させる赤外リモコン信号を表す情報を記録装置の機種に応じて学習して記憶し、記憶された情報に基づいた赤外リモコン信号を送信することができる。このため、記録装置のメーカーまたは機種を幅広く選定することができ、防犯効果に加え、システム設計の簡単な汎用性の高いテレビドアホン装置を提供することができる。
【００５２】
（第３の実施の形態）
図３に示すように、本発明の第３の実施の形態のテレビドアホン装置３０００は、玄関などの所定の場所に設置され撮像して映像信号を生成するドアホン子機１１００と、ドアホン子機１１００に接続され映像信号を外部に設置された記録装置１００に出力するドアホン親機３２００と、映像信号に基づいた記録装置１００による記録を開始させる赤外リモコン信号および記録を停止させる赤外リモコン信号を記録装置１００に送信する赤外リモコン送信機１３００とを備えている。なお、本発明の第３の実施の形態において、テレビドアホン装置３０００は、１つのドアホン子機１１００によって構成されるが、複数のドアホン子機１１００によって構成されてもよい。
【００５３】
なお、ドアホン子機１１００およびドアホン親機３２００は、１つの伝送路で通信可能に接続されている。また、ドアホン子機１１００は、ドアホン親機３２００との間で通話を行う子機通話手段を当然に有しているものとする。また、ドアホン親機３２００は、ドアホン子機１１００との間で通話を行う親機通話手段を当然に有しているものとする。また、ドアホン親機３２００は、映像信号に基づいた画像を表示するモニタを当然に有しているものとする。
【００５４】
ドアホン子機１１００は、撮像して映像信号を生成する撮像手段１１１０と、映像信号をドアホン親機３２００に送出する映像信号送出手段１１１５と、集音して音声信号を生成する音声信号生成手段１１２０と、音声信号をドアホン親機３２００に送出する音声信号送出手段１１２５と、訪問者に押下させる呼出ボタン１１３０と、呼出ボタン１１３０が押下されたことを検出して呼出信号をドアホン親機３２００に送出する呼出信号送出手段１１３５とを有している。
【００５５】
ドアホン親機３２００は、ドアホン子機１１００によって送出された映像信号を受信する映像信号受信手段１２１０と、映像信号受信手段１２１０によって受信された映像信号を外部に設置された記録装置１００に出力する映像信号出力手段１２１５と、ドアホン子機１１００によって送出された音声信号を受信する音声信号受信手段１２２０と、音声信号受信手段１２２０によって受信された音声信号を外部に設置された記録装置１００に出力する音声信号出力手段１２２５とを有している。
【００５６】
また、ドアホン親機３２００は、赤外リモコン送信機１３００による赤外リモコン信号の送信のタイミングを制御する制御手段３２３０とを有している。ここで、記録装置１００による記録とは、映像信号出力手段１２１５によって出力された映像信号および音声信号出力手段１２２５によって出力された音声信号に基づいた記録をいう。なお、以下の説明において、記録装置１００による記録を開始させる赤外リモコン信号を開始信号と呼び、記録装置１００による記録を停止させる赤外リモコン信号を停止信号と呼ぶ。さらに、ドアホン親機３２００は、開始信号を表す情報および停止信号を表す情報を学習して記憶する赤外リモコン学習記憶手段３２４０とを有している。
【００５７】
ここで、記録装置１００は、映像信号を録画再生可能な装置、または映像信号および音声信号の両方の信号を録画再生可能な装置であればよく、例えば、家庭用のＶＴＲ装置、光ディスク録画再生装置または磁気ディスク録画再生装置などでもよい。
【００５８】
なお、本発明の第３の実施の形態に係るテレビドアホン装置３０００においては、本発明の第１の実施の形態に係るテレビドアホン装置１０００の構成要素と同一の構成要素に本発明の第１の実施の形態に係るテレビドアホン装置１０００の構成要素と同一の符号を付して、その説明を省略する。
【００５９】
制御手段３２３０は、ドアホン子機１１００によって送出された呼出信号を受信し、呼出信号が受信されたときに、開始信号を送信するよう赤外リモコン送信機１３００を制御するようになっている。
【００６０】
また、制御手段３２３０は、赤外リモコン送信機１３００に開始信号を送信させてから経過した時間を計測するタイマを有しており、制御手段３２３０は、赤外リモコン送信機１３００に開始信号を送信させてから予め設定された時間が経過したときに、停止信号を送信するよう赤外リモコン送信機１３００を制御するようになっている。
【００６１】
さらに、制御手段３２３０は、開始信号を送信するよう赤外リモコン送信機１３００を制御する際に、赤外リモコン学習記憶手段３２４０に記憶された記録を開始させる赤外リモコン信号を表す情報、すなわち、開始信号情報に基づいた赤外リモコン信号を送信するよう赤外リモコン送信機１３００を制御するようになっている。また、制御手段３２３０は、停止信号を送信するよう赤外リモコン送信機１３００を制御する際に、赤外リモコン学習記憶手段３２４０に記憶された記録を停止させる赤外リモコン信号を表す情報、すなわち、停止信号情報に基づいた赤外リモコン信号を送信するよう赤外リモコン送信機１３００を制御するようになっている。なお、赤外リモコン信号を表す情報とは、例えば、赤外リモコン信号の波形を表す情報である。
【００６２】
赤外リモコン学習記憶手段３２４０は、記録装置１００に付属された遠隔操作装置によって送信される赤外リモコン信号を受信する図示しない赤外リモコン信号受信部を有している。赤外リモコン学習記憶手段３２４０は、遠隔操作装置によって送信される開始信号を赤外リモコン信号受信部を介して受信し、受信した開始信号に基づいて開始信号情報を生成し、生成された開始信号情報を記憶するようになっている。また、赤外リモコン学習記憶手段３２４０は、遠隔操作装置によって送信される停止信号を赤外リモコン信号受信部を介して受信し、受信した停止信号に基づいて停止信号情報を生成し、生成された停止信号情報を記憶するようになっている。
【００６３】
次に、本発明の第３の実施の形態のテレビドアホン装置３０００に係る赤外リモコン学習記憶手段３２４０に開始信号情報および停止信号情報が記憶される動作について説明する。
開始信号情報を赤外リモコン学習記憶手段３２４０に記憶させる際に、まず、ユーザに記録装置１００に付属された遠隔操作装置から開始信号を送信させる。このとき、赤外リモコン学習記憶手段３２４０の赤外リモコン信号受信部によって遠隔操作装置から送信された開始信号が受信され、赤外リモコン学習記憶手段３２４０によって開始信号情報が生成される。そして、生成された開始信号情報が赤外リモコン学習記憶手段３２４０に記憶される。
【００６４】
一方、停止信号情報を赤外リモコン学習記憶手段３２４０に記憶させる際には、まず、ユーザに記録装置１００に付属された遠隔操作装置から停止信号を送信させる。このとき、赤外リモコン学習記憶手段３２４０の赤外リモコン信号受信部によって遠隔操作装置から送信された停止信号が受信され、赤外リモコン学習記憶手段３２４０によって停止信号情報が生成される。そして、生成された停止信号情報が赤外リモコン学習記憶手段３２４０に記憶される。
【００６５】
次に、本発明の第３の実施の形態のテレビドアホン装置３０００に係る動作について説明する。
まず、呼出ボタン１１３０が押下されたことが呼出信号送出手段１１３５によって検出され、呼出信号が呼出信号送出手段１１３５によってドアホン親機３２００に送出される。ここで、制御手段３２３０によって呼出信号が受信され、制御手段３２３０によって赤外リモコン送信機１３００が赤外リモコン学習記憶手段３２４０に記憶された開始信号情報に基づいた赤外リモコン信号を送信するよう制御される。そして、赤外リモコン送信機１３００によって開始信号が記録装置１００に送信され、記録装置１００による記録が開始される。
【００６６】
このとき、撮像手段１１１０によって撮像されて映像信号が生成され、生成された映像信号が映像信号送出手段１１１５によってドアホン親機３２００に送出される。また、音声信号生成手段１１２０によって集音されて音声信号が生成され、生成された音声信号が音声信号送出手段１１２５によってドアホン親機３２００に送出される。
【００６７】
さらに、ドアホン子機１１００によって送出された映像信号および音声信号が映像信号受信手段１２１０および音声信号受信手段１２２０によってそれぞれ受信され、受信された映像信号および音声信号が映像信号出力手段１２１５および音声信号出力手段１２２５によってそれぞれ記録装置１００に出力される。
【００６８】
その後、記録装置１００による映像信号および音声信号の記録が継続され、赤外リモコン送信機１３００によって開始信号が記録装置１００に送信されてから予め設定された時間が経過したときに、制御手段３２３０によって赤外リモコン送信機１３００が赤外リモコン学習記憶手段３２４０に記憶された停止信号情報に基づいた赤外リモコン信号を送信するよう制御される。そして、赤外リモコン送信機１３００によって停止信号が記録装置１００に送信され、記録装置１００による記録が停止される。
【００６９】
以上説明したように、本発明の第３の実施の形態のテレビドアホン装置は、ドアホン親機において記録を開始させる赤外リモコン信号を表す情報および記録を停止させる赤外リモコン信号を表す情報を記録装置の機種に応じて学習して記憶し、記憶された情報に基づいた赤外リモコン信号を送信することができる。このため、記録装置のメーカーまたは機種を幅広く選定することができ、防犯効果に加え、システム設計の簡単な汎用性の高いテレビドアホン装置を提供することができる。また、赤外リモコン信号を表す情報を学習して記憶する手段をドアホン親機側に設けているため、赤外リモコン送信機の構成を簡素化することができる。
【００７０】
なお、本発明の各実施の形態において、映像信号送出手段１１１５による映像信号の送出は、例えば、ＦＭ信号、ＡＭ信号またはベースバンド信号によって行われる。また、映像信号送出手段１１１５は、映像信号の送出形態に応じて、増幅回路および変調回路を有しているものとする。また、音声信号送出手段１１２５による音声信号の送出は、例えば、ＦＭ信号、ＡＭ信号またはベースバンド信号によって行われる。また、音声信号送出手段１１２５は、音声信号の送出形態に応じて、増幅回路および変調回路を有しているものとする。また、呼出信号送出手段１１３５による呼出信号の送出は、例えば、メイク接点、ＦＭ信号またはＡＭ信号などによって行われる。
【００７１】
また、本発明の各実施の形態において、映像信号出力手段１２１５は、映像信号を記録装置１００に出力するための出力端子を当然に有しているものとする。また、映像信号出力手段１２１５による映像信号の出力形態は、記録装置１００に入力可能なものであればよく、例えば、Ｓ（Ｓｕｐｅｒ）ビデオ信号、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）信号、ＰＡＬ（Ｐｈａｓｅ  Ａｌｔｅｒｎａｔｉｏｎ  ｂｙ  Ｌｉｎｅ）信号、ＲＦ（Ｒａｄｉｏ  Ｆｒｅｑｕｅｎｃｙ）信号、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４規格に準拠した信号、ＵＳＢ（Ｕｎｉｖｅｒｓａｌ  Ｓｅｒｉａｌ  Ｂｕｓ）信号などでもよい。また、映像信号出力手段１２１５は、映像信号を記録装置１００に無線出力するようになっていてもよい。また、音声信号出力手段１２２５は、音声信号を記録装置１００に出力するための出力端子を当然に有しているものとする。また、音声信号出力手段１２２５による音声信号の出力形態は、記録装置１００に入力可能なものであればよく、例えば、ＲＦ信号、デジタル信号などでもよい。また、音声信号出力手段１２２５は、音声信号を記録装置１００に無線出力するようになっていてもよい。
【００７２】
なお、本発明の各実施の形態では、記録装置に映像信号および音声信号を記録させるようになっていたが、記録装置に映像信号だけを記録させるようになっていてもよい。この場合には、ドアホン子機は、音声信号生成手段および音声信号送出手段を有していなくてもよく、ドアホン親機は、音声信号受信手段および音声信号出力手段を有していなくてもよい。
【００７３】
さらに、ドアホン親機は、ドアホン子機とドアホン親機との間の通話を開始させる通話開始手段を有してもよい。この場合にあっては、制御手段は、通話開始手段によって通話が開始されたことを検知し、開始信号を送信するよう赤外リモコン送信機を制御するようになっていてもよい。また、ドアホン親機は、ドアホン子機とドアホン親機との間の通話を停止させる通話停止手段を有してもよい。この場合にあっては、制御手段は、通話停止手段によって通話が停止されたことを検知し、停止信号を送信するよう赤外リモコン送信機を制御するようになっていてもよい。また、ドアホン親機が備える親機通話手段は、受話器によって構成されてもよい。この場合にあっては、前述した通話開始手段および通話停止手段は、フックスイッチによって構成されてもよい。
【００７４】
また、ドアホン親機は、映像信号に基づいた画像の表示を開始させる表示開始手段を有してもよい。この場合にあっては、制御手段は、表示開始手段によって映像信号に基づいた画像の表示が開始されたことを検知し、開始信号を送信するよう赤外リモコン送信機を制御するようになっていてもよい。また、ドアホン親機は、映像信号に基づいた画像の表示を停止させる表示停止手段を有してもよい。この場合にあっては、制御手段は、表示停止手段によって映像信号に基づいた画像の表示が停止されたことを検知し、停止信号を送信するよう赤外リモコン送信機を制御するようになっていてもよい。
【００７５】
また、ドアホン親機は、物体が近づいたことを検知する物体検知センサに接続可能なインタフェイスを有していてもよい。この場合にあっては、制御手段は、物体検知センサによって人物などの物体が近づいたことが検出されたときに開始信号を送信するよう赤外リモコン送信機を制御し、人物が立ち去ったときに停止信号を送信するよう赤外リモコン送信機を制御するようになっていてもよい。
【００７６】
また、本発明の実施の形態では、ドアホン子機によって生成された映像信号および音声信号に基づいた記録を記録装置に行わせていたが、テレビドアホン装置は、ドアホン子機とは異なる場所に設置される監視カメラ機を備えて、監視カメラ機によって生成される映像信号および音声信号に基づいた記録を記録装置に行わせてもよい。この構成により監視カメラ機によって撮像され生成された映像信号をドアホン親機を介して記録装置に出力し、映像信号を記録することができる。このため、ドアホン子機よりさらに広い範囲の映像をとらえることができるとともに訪問者に気づかれない位置にカメラを設置することができる。
【００７７】
また、前述した監視カメラ機は、人物などの物体が近づいたことを検知する手段を備えていてもよく、この場合にあっては、制御手段は、監視カメラ機に人物が近づいたことが検知されたときに開始信号を送信するよう赤外リモコン送信機を制御し、人物が立ち去ったときに停止信号を送信するよう赤外リモコン送信機を制御するようになっていてもよい。
【００７８】
【発明の効果】
以上説明したように、本発明は、安価な費用で大容量の映像を記録することができるテレビドアホン装置を提供することができるものである。
【図面の簡単な説明】
【図１】本発明の第１の実施の形態のテレビドアホン装置に係る構成のブロック図
【図２】本発明の第２の実施の形態のテレビドアホン装置に係る構成のブロック図
【図３】本発明の第３の実施の形態のテレビドアホン装置に係る構成のブロック図
【図４】従来のテレビドアホン装置に係る構成のブロック図
【符号の説明】
１００  記録装置
２１０  物体検知センサ
１０００、２０００、３０００、９０００  テレビドアホン装置
１１００、９１００  ドアホン子機
１１１０  撮像手段
１１１５  映像信号送出手段
１１２０  音声信号生成手段
１１２５  音声信号送出手段
１１３０、９１３０  呼出ボタン
１１３５、９１３５  呼出信号送出手段
１２００、２２００、３２００、９２００  ドアホン親機
１２１０  映像信号受信手段
１２１５  映像信号出力手段
１２２０  音声信号受信手段
１２２５  音声信号出力手段
１２３０、２２３０、３２３０  制御手段
１３００、２３００  赤外リモコン送信機
２３１０  赤外リモコン送信手段
２３２０、３２４０  赤外リモコン学習記憶手段
９１１０  撮像手段
９１２０  映像信号送出手段
９２１０  映像信号出力手段
９２２０  接点信号出力手段
９３００  タイムラプスビデオ装置
【図１】
2004274204.tif 000003
【図２】
2004274204.tif 000004
【図３】
2004274204.tif 000005
【図４】
2004274204.tif 000006